(57)【特許請求の範囲】
【請求項１】
配線パターンが形成された基板と、
基板に設けられた光源と、
光源からの光を前方に導く採光板と、
採光板から後方に向かう光を前方に反射させる反射シートと、
採光板の前側に設けられ、基板に電気的に接続された液晶パネルと、
少なくとも光源と、反射シートと、採光板と、液晶パネルとを収容する略直方体状の箱体であって、基板に組み付けられているホルダとを備える液晶表示装置において、
反射シートは、基板と採光板との間にあって光を反射させる反射部と、反射部に連続し採光板とホルダとの間に延出する延出部とからなり、予め反射部と延出部とのなす角度が９０度よりも大きいか、又は小さい角度を有するように形成されており、
ホルダ内で、折り曲げられ又は押し広げられた反射シートの復元力の反力により採光板が押されるように構成されていることを特徴とする液晶表示装置。
【請求項２】
前記採光板は、その前面がほぼ平坦で、かつ、両端から中央部に向かうほど薄くなるように後面が所定の形状に形成されていることを特徴とする請求項１に記載の液晶表示装置。
【請求項３】
前記後面には多数の溝が施されていることを特徴とする請求項２に記載の液晶表示装置。
【請求項４】
前記溝は、両端から中央部に向かうほどピッチ間隔が狭くなっていることを特徴とする請求項３に記載の液晶表示装置。
【発明の詳細な説明】
【０００１】
【発明の属する技術分野】
本発明は液晶表示装置に関する。
【０００２】
【従来の技術】
従来の液晶パネルを使用した液晶表示装置１２は、図４のように表示部１３と基板３とから構成されている。
図５（ａ）は、液晶表示装置１２の断面図を示すものである。表示部１３は、図５（ａ）に示すように、箱状に形成された金属製のホルダ９の中に、液晶パネル２、光拡散シート５、採光板１１、液晶パネル２と基板３とを電気的に接続する導電性ゴム６、反射シート１０を組み込んだものである。基板３には、２個のランプ１４、１４がホルダ９内において採光板１１の両脇に１つずつ収まるように設けられており、また、表面３ａのほぼ全面には配線パターンが形成されている。
【０００３】
液晶表示装置１２では、ランプ１４，１４から出射された光が、採光板１１全体に伝わってその前面１１ａから出射し、さらに光拡散シート５により拡散されて、液晶パネル２を照射し、所定の内容を表示するようになっている。
【０００４】
【発明が解決しようとする課題】
ところで、基板３とホルダ９によって形成された空間に、隙間なく各部材が収められていると、液晶パネル２の表面が押されたときに、その動きが採光板１１を介して基板３に伝わる。基板３の表面３ａには配線パターンが形成されているため、基板３が押されることによってたわむと、液晶表示がムラになってしまう可能性があった。これを防ぐために、採光板１１の周囲に少し隙間を設け、液晶パネル２が押されたときの力を隙間で吸収するようにしている。
液晶表示装置１２において、例えば、ホルダ９のサイズは、前後の奥行きが約８ｍｍ、高さが約２０ｍｍである。この場合、基板３の表面３ａと採光板１１の後面１１ｂとの間に約０．５ｍｍの隙間Ｗ１が、採光板１１の底部１１ｃとホルダ９との間に約０．２ｍｍの隙間Ｗ２が出来るように設計している。
このため、液晶表示装置１２に振動が加えられると、図５（ｂ）に示すようにホルダ９内で採光板１１が前後、あるいは上下方向に振動してガタガタ音がする場合があり、製品の使用上好ましくないという問題があった。
【０００５】
また、液晶表示装置１２では、ランプ１４，１４から出射された光が採光板１１の両脇に入射するため、採光板１１の中央部はランプ１４、１４から距離が遠く光が届きにくくなるので、表示部１３の中央部は両脇に比べると暗くなることがあった。
【０００６】
本発明の課題は、ムラなく表示しながらも採光板の振動を防ぎ、均一な明るさを有する液晶表示装置を提供することにある。
【０００７】
【課題を解決するための手段】
以上の課題を解決するため、請求項１に記載の発明は、配線パターンが形成された基板と、基板に設けられた光源と、光源からの光を前方に導く採光板と、採光板から後方に向かう光を前方に反射させる反射シートと、採光板の前側に設けられ、基板に電気的に接続された液晶パネルと、少なくとも光源と、反射シートと、採光板と、液晶パネルとを収容する略直方体状の箱体であって、基板に組み付けられているホルダとを備える液晶表示装置において、反射シートは、基板と採光板との間にあって光を反射させる反射部と、反射部に連続し採光板とホルダとの間に延出する延出部とからなり、予め反射部と延出部とのなす角度が９０度よりも大きいか、又は小さい角度を有するように形成されており、ホルダ内で、折り曲げられ又は押し広げられた反射シートの復元力の反力により採光板が押されるように構成されていることを特徴とする。
【０００８】
請求項２に記載の発明は、請求項１に記載の液晶表示装置において、前記採光板は、その前面がほぼ平坦で、かつ、両端から中央部に向かうほど薄くなるように後面が所定の形状に形成されていることを特徴とする。
【０００９】
請求項３に記載の発明は、請求項２に記載の液晶表示装置において、前記後面には多数の溝が施されていることを特徴とする。
【００１０】
請求項４に記載の発明は、請求項３に記載の液晶表示装置において、前記溝は、両端から中央部に向かうほどピッチ間隔が狭くなっていることを特徴とする。
【００１１】
【発明の実施の形態】
図１は、本発明の一例としての液晶表示装置１を示す断面図である。液晶表示装置１の全体の概略形状は、図４に示す従来のものと同様である。
液晶表示装置１は、反射シート７、採光板４以外は、図５（ａ）に示す従来の液晶表示装置１２と全く同様のものであるので、同じ部材については同符合を付して説明する。
【００１２】
ホルダ９は、図４に示すように直方体状の箱体であり、各部材が収められている。
図２（ａ）は、採光板４の斜視図である。採光板４は、透明の樹脂からなり、両端部１６、１６には、ランプ１４、１４（光源）がそれぞれ嵌め込まれる切り欠き４ｃ、４ｃが設けられている。図２（ａ）に示すように、前面４ｂは滑らかで平坦な光出射面となっている。後面４ａは、採光板４の中央部４ｈほど薄くなるように、後面縁部４ｇ、４ｇを残してアーチ状に湾曲している。後面４ａには、小さな溝１５、１５・・・が上下方向に多数施されており、これら溝１５、１５・・・は中央へいくほどピッチ間隔が狭く密に形成されている。
切り欠き４ｃ、４ｃに嵌め込まれたランプ１４、１４からの光は、採光板４の両端部１６、１６から中央に向かって前記溝１５、１５・・・によって反射しながら採光板４全体に伝わる。このとき溝１５、１５・・・は、中央部４ｈにいくほどピッチ間隔が狭く密に形成されている。又は、採光板４は厚さが薄くなっているので、光は中央へいくほどよく反射する。
従って、採光板４の中央部４ｈは、ランプ１４、１４から遠い場所であっても光が反射しやすいので、表示部全体は均一な明るさに保たれる。
【００１３】
光拡散シート５は、白色プラスチック製の矩形状の薄板であって、採光板４から出射された光を拡散させる。
【００１４】
図２（ｂ）に示す反射シート７は、白色のＰＥＴ（Polyethylene terephthalate）材で作られた可撓性を有する薄板であり、主部７ｃ（反射部）と底部７ｄ（延出部）からなる。
反射シート７は、主部７ｃと底部７ｄが予め約１２０度の角度Ａをなすように折り曲げられていて、曲げ部７ｅが形成されている。反射シート７は、主部７ｃと底部７ｄが前記採光板４に接するように折り曲げられて基板３の前に収められ採光板４から後方に漏れる光を主部７ｃにより前方へ反射するものである。
【００１５】
液晶表示装置１は次のように組み付ける。図３（ａ）に示すように、ホルダ９内において、採光板４の前（図３（ａ）では右方向）に光拡散シート５と液晶パネル２が、さらに採光板４の上部に導電体である導電性ゴム６が収められる。
反射シート７は、主部７ｃと底部７ｄが予め約１２０度の角度Ａをなすように形成されているので、少し内側に折り曲げながら主部７ｃが採光板４の後面４ａに接し、底部７ｄが採光板４の底部４ｄとホルダ９との間に差し込まれるようにホルダ９内に収められる。各部材が収められたホルダ９を、基板３とホルダ９の底部９ａとが垂直になるように、基板３の表面３ａに組み付ける。
【００１６】
基板３とホルダ９を組み付けたときに、基板３の表面３ａとホルダ９の底部の内壁９ｂがなす角度は、図３（ｂ）に示すように約９０度であり、一方反射シート７の主部７ｃと底部７ｄは、前述のように予め約１２０度の角度Ａをなしている。本来９０度である場所に約１２０度の角度Ａを持つ反射シート７を入れることにより、ホルダ９内で反射シート７は広がろうとする。
つまり、反射シート７の主部７ｃと底部７ｄの先端部Ｐは、それぞれ基板３の表面３ａとホルダ９の底部９ａの内壁９ｂ側を押す。一方、主部７ｃと底部７ｄの曲げ部７ｅ付近は、反射シート７の広がろうとする力の反動により、ホルダ９の内側に向かう力を発揮する。
従って、採光板４の底部４ｄから後面下部４ｆにかけて、反射シート７によって常に押さえられていることになり、容易には動かないようになる。
【００１７】
以上の液晶表示装置１によれば、基板３とホルダ９を組み付けたときに、基板３の表面３ａとホルダ９の底部９ａの内壁９ｂがなす角度は９０度であり、反射シート７の主部７ｃと底部７ｄは、予め約１２０度の角度Ａをなすように形成されている。従って、反射シート７をホルダ９内部に収めると、主部７ｃと底部７ｄの先端部Ｐが広がろうとする力の反動により、曲げ部７ｅ付近によって採光板４は常に押さえられている状態となり、容易には動かない。
従って、液晶表示装置１に振動が加えられても採光板４は振動せず、ガタガタと音が発生することはない。
また、液晶パネル２の表面が押されると、その動きが採光板４に伝わるが、採光板４と基板３の間に設けられた反射シート７がその動きを吸収するので、液晶パネル２が押されたときの力は基板３まで伝わらず、基板３はたわまない。よって、液晶表示がムラになることはない。
【００１８】
また、採光板４では、溝１５、１５・・・は中央部４ｈへいくほどピッチ間隔が狭く密に形成されている。又は、採光板４の厚さが薄くなっているので、ランプ１４、１４から出射された光は、中央部４ｈではよく反射する。従って、ランプ１４、１４から遠い場所である中央部４ｈでも周辺と同じように明るくなり、表示部全体の明るさを均一に保つことができる。
【００１９】
なお、本発明は上記実施の形態に限定されることはない。
例えば上記実施の形態における反射シート７の主部７ｃと底部７ｄのなす角度Ａは約１２０度であるが、他の鈍角であってもよいし、９０度以下であってもよい。
主部７ｃと底部７ｄのなす角度Ａが、予め９０度以下に形成されている反射シート７で採光板４を挟みこんでホルダ９内に収めると、押し広げられた反射シート７の主部７ｃと底部７ｄの先端部Ｐは、元に戻ろうとして採光板４を押すので、上記同様の効果を得ることができる。
また、上記実施の形態における採光板４の後面４ａはアーチ状に湾曲しているが、中央ほど薄くなるように形成された直線的なテーパ面でもよい。
【００２０】
上述した実施の形態によれば、反射シートは、反射部と、延出部とからなり、予め反射部と延出部とのなす角度が９０度よりも大きいか、小さい角度を有するように形成されている。一方、ホルダは略直方体の箱体であるので、基板に組み付けられると、ホルダと基板によって形成される角度は約９０度となる。ここに、基板と採光板との間に反射部を、採光板とホルダの間に延出部を差し込むように、反射シートをホルダ内に収めると、反射シートは元の角度に戻ろうとするため、その反力が採光板に対して加えられることになる。
従って、採光板は常に反射シートによって押さえられることになり、液晶表示装置に振動が加えられても採光板は振動せず、ガタガタと音が発生することはない。
【００２１】
また、光源は採光板の両端にあるため、採光板の中央部は光源から遠く光が届きにくいが、中央部に向かうほど薄くなっている。又は、溝のピッチ間隔が狭くなっているために光が反射しやすくなり、液晶表示装置を均一な明るさに保つことができる。
【００２２】
【発明の効果】
この発明によれば、ムラなく表示しながらも採光板の振動を防ぎ、均一な明るさを有する液晶表示装置を提供できる。
【図面の簡単な説明】
【図１】本発明を適用した液晶表示装置の断面図である。
【図２】（ａ）は図１における液晶表示装置の採光板の斜視図であり、（ｂ）は反射シートの斜視図である。
【図３】（ａ）は液晶表示装置の組み付けを説明するための断面図であり、（ｂ）は反射シートの作用を説明するための図である。
【図４】液晶表示装置の外観を示した斜視図である。
【図５】（ａ）は従来の液晶表示装置の断面図であり、（ｂ）は採光板の動きを説明する為の図である。
【符号の説明】
１      液晶表示装置
２      液晶パネル
３      基板
４      採光板
４ａ      後面
４ｂ      前面
４ｃ      切り欠き
４ｄ      底部
４ｆ      後面下部
４ｇ      後面縁部
４ｈ      中央部
７      反射シート
７ａ、７ｂ      接触面
７ｃ      主部（反射部）
７ｄ      底部（延出部）
７ｅ      曲げ部
９      ホルダ
１４    ランプ（光源）
１５    溝
１６    端部
Ａ      角度
【図１】
0003742970.tif 000002
【図２】
0003742970.tif 000003
【図３】
0003742970.tif 000004
【図４】
0003742970.tif 000005
【図５】
0003742970.tif 000006